(57)【特許請求の範囲】
【請求項１】
島状の凸部とそれらの間の目地部とからなる、表面柄を有する建築材の表面柄を設計支援する建築材設計支援システムであって、
建築材の前記凸部の数に相当する数の連続した番号が循環しているとして順不同に予め各凸部に前記連続した番号を付与する番号付与手段と、
建築材ごとの特定の前記番号から開始して前記番号付与手段によって各凸部に付与されている前記番号の順に各凸部に所定の色パターンに従う色を割り当てる画像合成手段と、
前記画像合成手段によって各凸部に割り当てられた色の表面柄を表示する表示手段と
を備えることを特徴とする建築材設計支援システム。
【請求項２】
ユーザが設定する、色の組合せと各色の配分割合とから前記色パターンを作成する色パターン作成手段をさらに備えることを特徴とする請求項１記載の建築材設計支援システム。
【請求項３】
島状の凸部とそれらの間の目地部とからなり、その凸部の数に相当する数の連続した番号が循環しているとして順不同に各凸部に前記連続した番号が付与されているとして、建築材ごとに特定の前記番号から開始して各凸部に付与されている前記番号の順に各凸部に所定の色パターンに従う色が割り当てられている表面柄を有することを特徴とする複数の建築材。
【請求項４】
コンピュータを、
島状の凸部とそれらの間の目地部とからなる、表面柄を有する建築材の表面柄を設計支援する建築材設計支援システムであって、建築材の前記凸部の数に相当する数の連続した番号が循環しているとして順不同に予め各凸部に前記連続した番号を付与する番号付与手段と、建築材ごとの特定の前記番号から開始して前記番号付与手段によって各凸部に付与されている前記番号の順に各凸部に所定の色パターンに従う色を割り当てる画像合成手段と、前記画像合成手段によって各凸部に割り当てられた色の表面柄を表示する表示手段とを備える建築材設計支援システム
として機能させるためのプログラム。
【発明の詳細な説明】
【技術分野】
【０００１】
本発明は、建物の外壁部や屋根部に施工される外壁板や屋根材等の建築材のデザインを設計支援する建築材設計支援システム、建築材及びプログラムに関し、特に、施工後の外観が全体としてランダムな色配列に見える建築材の仕上がりをシミュレーションしながら個人的な好みに合わせた色配列を選択・指定できるとともに、システムの負担を軽減した建築材を設計支援する建築材設計支援システム、そのシステムによって設計され製造された建築材及びそのシステムに係るプログラムに関する。
【背景技術】
【０００２】
従来、建物外観をシミュレートする家屋コーディネート支援システムとして、いくつかの建物外観パターンと、その外壁部や屋根部に施工される外壁板や屋根材等の建築材の外観パターンを用意しておき、モニタ画面上に表示した所定の建物外観パターンに対して、選択したいくつかの建築材の外観パターンを貼り付けていくことにより、建物の外壁部や屋根部の施工が行われた状態、すなわち、建物外観をシミュレートするものがある（例えば、特許文献１、２参照）。
【０００３】
そこで貼り付けていく外壁板や屋根材等の建築材の外観パターンは、既存商品群の中から選択された個々の商品の平面画像データであり、それらを拡大、縮小、回転などの画像処理を施して、所定の建物外観パターンに貼り付けるようになっている。具体的に個々の建築材の外観パターンとしては、例えば、凸部と目地部の区割り状態が示された表面柄と、凸部の質感を表現するテクスチャと、そのカラー情報等が統合された１つの平面画像データが使用される。ここでの貼り付けに使用される平面画像データは、固定データである。
【０００４】
また、外壁板や屋根材などの建築材自体のデザインを設計支援する建築材設計支援システムとして、同じくモニタを使用して、画面上において、使用される建築材の外観パターンを設計するものがある（例えば、特許文献３参照）。そこでは、表面柄と前記テクスチャとを統合した概念をテクスチャとして取り扱い、そのカラー情報を変化させるようにしているので、所定の表面柄に対して、テクスチャが同じ場合でも、異なった様相の外観パターンを設計することができる。すなわち、ここでの貼り付けに使用される平面画像データは、所定のカラー情報が付加された変動データである。
【特許文献１】特許第３００２６６６号公報
【特許文献２】特許第３００２６７０号公報
【特許文献３】特許第３０２３３５２号公報
【発明の開示】
【発明が解決しようとする課題】
【０００５】
例えば、積み上げたレンガブロックを見立てた模様を有する従来の建築材は、建築材ごとの色配列が同じであるために、施工後の外観に模様の繰返しが見えてしまい単調なものであった。そこで、自然な風合いを醸しだすために、各建築材の色配列を建築材ごとに異ならせるとともに、配列される個々の色はユーザが容易に選択して指定できるようにすることが望まれる。また、将来における外壁板の補修などの際、同じ色配列の外壁板に交換できればユーザの利便性やリピート需要が喚起される。このためにはデータを保存しておく必要があるが、建築材ごとに異なる色配列にするとすべての建築材の画像データをそのままの形式で保存しておかざるを得ず、保存すべきデータ量が膨大なものとなってしまう。
【０００６】
本発明は、上記問題点に鑑み、施工後の外観が全体としてランダムな色配列に見える建築材の仕上がりをシミュレーションしながら個人的な好みに合わせた色配列を選択・指定できるとともに、システムの負担を軽減した建築材を設計支援する建築材設計支援システム、そのシステムによって設計され製造された建築材及びそのシステムに係るプログラムを提供することを目的とする。
【課題を解決するための手段】
【０００７】
本発明の建築材設計支援システムは、島状の凸部とそれらの間の目地部とからなる、表面柄を有する建築材の表面柄を設計支援する建築材設計支援システムであって、建築材の前記凸部の数に相当する数の連続した番号が循環しているとして順不同に予め各凸部に前記連続した番号を付与する番号付与手段と、建築材ごとの特定の前記番号から開始して前記番号付与手段によって各凸部に付与されている前記番号の順に各凸部に所定の色パターンに従う色を割り当てる画像合成手段と、前記画像合成手段によって各凸部に割り当てられた色の表面柄を表示する表示手段とを備えることを特徴とする。
【０００８】
ユーザが設定する、色の組合せと各色の配分割合とから前記色パターンを作成する色パターン作成手段をさらに備えることで、ユーザの好みに合った色及びその配分割合の建築材を簡単に設計及びシミュレーションすることができる。
【０００９】
また、本発明の複数の建築材は、島状の凸部とそれらの間の目地部とからなり、その凸部の数に相当する数の連続した番号が循環しているとして順不同に各凸部に前記連続した番号が付与されているとして、建築材ごとに特定の前記番号から開始して各凸部に付与されている前記番号の順に各凸部に所定の色パターンに従う色が割り当てられている表面柄を有することを特徴とする。
【００１０】
また、本発明は、コンピュータを、島状の凸部とそれらの間の目地部とからなる、表面柄を有する建築材の表面柄を設計支援する建築材設計支援システムであって、建築材の前記凸部の数に相当する数の連続した番号が循環しているとして順不同に予め各凸部に前記連続した番号を付与する番号付与手段と、建築材ごとの特定の前記番号から開始して前記番号付与手段によって各凸部に付与されている前記番号の順に各凸部に所定の色パターンに従う色を割り当てる画像合成手段と、前記画像合成手段によって各凸部に割り当てられた色の表面柄を表示する表示手段とを備える建築材設計支援システムとして機能させるためのプログラムである。
【発明の効果】
【００１１】
本発明によれば、建築材の表面柄は、施工後の外観が全体としてランダムな色の配列に見えるとともに、保存データを格段に低減することができる。また、ランダムに画像データを発生させないことから、データ通信を含むデータ処理量を低減することができ、クライアント側の装置負荷を軽減してクライアントに対し販促等に活用することができる。
【発明を実施するための最良の形態】
【００１２】
以下、添付図面を参照しながら本発明を実施するための最良の形態について詳細に説明する。
【００１３】
図１は、本発明の一実施例による建築材設計支援システムで設計された外壁板外観の表示例を示す図である。図１(a)は、長尺外壁板＃１〜＃９を左右方向に３列、上下方向に３列施工した状態を表示しており、外壁部の想定施工外観が検討できるようにしている。これにより隣の外壁板にまたがった柄のつながり具合を見ることができる。図１(b)は、その内の１つの外壁板（ここでは外壁板♯５）の詳細を説明するものである。
【００１４】
外壁板単位の表面柄ユニットＣＵは、積み上げたレンガブロックを見立てた模様である、島状の凸部とそれらの間の目地部とからなる表面柄を有し、その凸部には、♯ａ1〜♯ａ54の番号を振る。当該外壁板＃５の左右に隣接する外壁板＃４、＃６にまたがる他の半分の面積の凸部は、左右一対とみて１つの番号を割り当てる。ここでは、♯ａ1〜♯ａ10、♯ａ51〜♯ａ54について表示している。
【００１５】
図２は、本発明の一実施例による建築材設計支援システムで用いる外壁板の凸部に振る番号とその使い方を説明する図である。図２(a)に示すにように、外壁板の凸部に振る番号は、順不同にすればよいが、好ましくは以下に示すように作成する。これを複数の外壁板に共通に使う。
(1).前後の番号同士は、離れた位置に配置する。図２(a)の例では、１番と２番、２番と３番、…、５３番と５４番、５４番と１番は、それぞれ縦から見ても横から見ても（行列上）で空間的に離す。
(2).番号は循環的に使用するため、上述したように５４番と１番についても空間的に離れた位置に配置する。
【００１６】
さらに、以下の条件を備えることがより好ましい。
(3).任意の区間で番号を区切って見た場合でも、番号が適度に分散するように配置する。例えば、１番から６番に着目した場合、それら番号だけでも外壁板上で均等に分散するように配置することが好ましい。
(4).空間的に隣接する凸部同士も番号が離れていることが好ましい。例えば、斜め上下に近い番号同士があると、同じ色が連続して配置される可能性が増えるので少し離す。
【００１７】
上記のように割り振られた外壁板の凸部の番号情報を、外壁板の原板として予め作成しておく。保管に際しては適当なコード名を付け、後述するようにユーザ使用時に呼び出して使用する。なお、同様の観点に従って、前記外壁板の原板を予め複数用意しておき、選択使用することももちろん可能である。また、上述したアルゴリズムに従ってコンピュータにより候補群を作成し、人がそれを評価して決定するようにしてもよい。
【００１８】
図２(b)は、この番号の使い方を説明する図である。ある表面柄パターンのうち、凸部の色パターンＣ１が６０％（例えば３５個）、色パターンＣ２が３０％（１２個）、色パターンＣ３が１０％（７個）指定された場合、ある外壁板では開始番号として１番が指定されて、図２(b)のスタート<１>に示すように、まず色パターンＣ１の３５個を１番〜３５番に、つぎに色パターンＣ２の１２個を３６番〜４７番に、色パターンＣ３の７個を４８番〜５４番に配置する。別の１つの外壁板では開始番号に７番が指定されて、図２(b)のスタート<２>に示すように、色パターンＣ１の３５個を７番〜４１番に、色パターンＣ２の１２個を４２番〜５３番に、色パターンＣ３の７個を５４番〜６番に配置する。番号が順不同に各凸部に割り振られているために、図２(b)に示すように、開始番号を指定するだけで、各色パターンが番号順に各凸部に配置され、それが規則性を有しているにも拘わらず一見するとランダムなように配置される。また、開始番号を変更するだけで、同様にランダムに見えて異なる色配置の表面柄を設計することができる。
【００１９】
図３は、本発明の一実施例による建築材設計支援システムで設計した外壁板の部分デザインを説明する図である。この場合は、レンガブロックを６段に積み上げた表面柄となっていて、凸部に対応するレンガブロックは、５４個ある（半ブロックは２つで１つと数える）。上述のように、レンガブロックの表面柄パターンのうち色パターンＣ１が６０％、色パターンＣ２が３０％、色パターンＣ３が１０％と指定された場合、図２(b)に示すような番号の適当な開始番号から、まず対応するパーセント（割合）６０％の例えば３５個だけ図３(a)に示す色パターンＣ１が配置される。この図３(a)からも明らかなように表面柄パターンの一部（色パターンＡの６０％）であっても自然に配置されていることがわかる。この状態をこのまま保ってユーザに提示することも可能である。同様に、図３(b)に示すように色パターンＣ２が３０％の１２個配置され、図３(c)に示すように色パターンＣ３が１０％の７個配置される。いずれも番号順に配置されるが、図３(a)〜図３(c)からも明らかなように、表面柄パターンの一部だけであっても自然に配置されていることがわかる。この状態を各段階で保ってユーザに提示することも可能である。これらの色配列を有する表面柄を重ね合わせて、仕上がりの外壁板として表示装置に表示する。このように、ユーザは、色の配分割合を指定し、指定した配分割合の各色を指定することで、その配分割合でそれぞれの色が適当に分散して、その表面柄の色配列が外壁板ごとに異なる外壁板の仕上がり状態を表示装置にシミュレートすることができる。
【００２０】
図４は、本発明の一実施例による建築材設計支援システムで用いる表面柄パターンの例を示す図である。窯業系（セメント系）外壁板の場合、例えば型板の数の表面柄パターン（Ａ１，Ａ２，Ａ３）が使用される。これらの表面柄パターンを、凸部の区割り画像データ（目地部の幅と位置に関する情報）として記憶しておく。
【００２１】
外壁板をシミュレートする場合に、ユーザは記憶されている複数の表面柄パターンの中から１つの表面柄パターンを選択して使用する。
【００２２】
図５は、本発明の一実施例による建築材設計支援システムで用いるテクスチャパターンの例を示す図である。テクスチャパターンは、下地外観と、そこに散在する粒感発現体（その大きさ、形状と、位置情報）の２つの属性情報とからなる画像データ（Ｂ１，Ｂ２，Ｂ３，Ｂ４，Ｂ５，Ｂ６）である。
【００２３】
外壁板をシミュレートする場合には、記憶されている同系統の複数種類のテクスチャパターンからなるテクスチャパターン群の中の１つをユーザが選択して、そのテクスチャパターン群の中のテクスチャパターンを凸部に割り付ける。
【００２４】
図６は、本発明の一実施例による建築材設計支援システムで用いる色パターンの例を示す図である。色パターンは、用意するシーリング剤についての色数（Ｃ１，Ｃ２，Ｃ３，Ｃ４，Ｃ５，Ｃ６）の色パターンとなる。
【００２５】
外壁板をシミュレートする場合には、記憶されている複数の色パターンの中から２〜４など適当な数の色パターンを選択すると共に、その配分割合を指定する。
【００２６】
図７は、本発明の一実施例による建築材設計支援システムの構成を示す図である。本実施例は、クライアント側に設置されるクライアント装置１０として実現される。クライアント装置１０は、データファイル作成手段１１、データファイル管理手段１２、表面柄パターンデータファイル１３、テクスチャパターンデータファイル１４、色パターンデータファイル１５、組合せ参考パターンデータファイル１６、キーボード１７、マウス１８、カラー調整手段１９、画像合成手段２０、システム調整手段２１、発注管理通信手段２２、及びディスプレー４０を備える。
【００２７】
テクスチャパターンデータファイル１４は、同系統の複数種類のテクスチャパターンからなるテクスチャパターン群をいくつか記憶する。ここで、同系統とは、類似の系統を含むものである。
【００２８】
柄見本をデジタルカメラ３０で撮影した画像を取り込んだりして、データファイル作成手段１１は、表面柄パターンデータファイル１３、テクスチャパターンデータファイル１４、色パターンデータファイル１５用の各パターンデータを作成し、データファイル管理手段１２がそれぞれのパターンデータをそれぞれのパターンデータファイルである表面柄パターンデータファイル１３、テクスチャパターンデータファイル１４、色パターンデータファイル１５に記憶する。色パターンデータに関しては、カラー調整手段１９によって取り込んだ色パターンの色相及び彩度を調整して記憶できるようになっている。なお、組合せに必要な基本ファイルの他に、組合せ見本となる組合せ参考パターンデータファイル１６も備えており、ユーザによる設計に対して、便（アドバイス、ヒント）を与えるようにしている。外壁板の柄デザインの設計の過程においては、画像合成手段２０がユーザの選択と指定に従って各パターンデータファイルである表面柄パターンデータファイル１３、テクスチャパターンデータファイル１４、色パターンデータファイル１５から各パターンデータを読み出して画像合成する。画像合成手段２０は、色パターンデータファイル１５の選択された色パターンの中から上述した配置方法で色パターンを読み出して、各凸部に割り当てる。
【００２９】
デザイン設計が完成すると、システム全体を調整しているシステム調整手段２１を介してそのデザインを発注管理通信手段２２がインターネットを介して建材メーカのサーバ装置などに送信する。
【００３０】
図８は、本発明の一実施例による建築材設計支援システムを用いるサーバ・クライアント運用システムの構成を示す図である。工務店などに設置されるクライアント装置１０から建材メーカに設置されたサーバ装置５２に、ユーザが自ら設計したデザインについての試作画像情報を送信すると、受注管理システム５１は、その通信がそのデザインの外壁板の発注であれば直接に工場の製造管理システム６１に、又は試作依頼であれば試作管理システム６２にそのデザインを送る。製造管理システム６１は受信したデザインの外壁板を製造管理する。試作管理システム６２は受信したデザインの外壁板を試作し、試作品配送システム６３がその試作品のデジタル写真データを、ユーザに送信する。なお、試作見本の実物を、ユーザの手元に届けるようにすることも可能である。このようなシステムにより試作依頼された又は製造依頼されたデザインをクライアントから入手できるので、発注にあたっての意思決定に確実性を与える。
【００３１】
外壁板を試作又は受注したユーザのユーザ情報は、すべての外壁板に共通の原板コード、表面柄パターン種別、テクスチャパターン種別、色パターン種別及びその配分と、各外壁板ごとの開始番号、という非常にシンプルな情報となる。従来例のように凸部の色パターンをランダムに発生させたものでは、将来の修理交換のための一部の外壁板の再現性を考慮するとランダム発生したすべての色パターンをそのまま保存しておかなければならない。これでは、画像データ自体が膨大なデータ量であることに加え、多数のユーザ毎にそのデータを長期間（２０年程度）保存しておくのは大変な負担である。本実施例では、規則性は有するものの一見するとランダムに配置されように見えながら、実際に保存すべきユーザデータは色パターンの配列データではなく、少ないテキストデータで済む。したがって、将来の補修時などのリピートに応えることができ、ユーザ満足度を向上させることができる。また、販売店にとっては将来いつでも外壁板の修理交換が可能であることをユーザにアピールでき、売上増大が期待できる。
【００３２】
また、上記保存データが格段に低減する効果に加え、ランダム発生させた色パターン配列データを用いないため処理量が格段に少ない。このことは、クライアント装置の負荷軽減につながるため、例えばクライアントが自宅パソコンである場合など、インターネットを介して自宅において容易にシミュレーションが可能になるなどの効果がある。
【００３３】
図９は、本発明の一実施例による建築材設計支援システムにおける作業メニュー選択画面の例を示す図である。この作業メニュー選択画面は、表面柄パターンを選択する作業に進むための表面柄ボタン７１、テクスチャパターン群を選択する作業に進むためのテクスチャパターンボタン７２、色パターンを選択する作業に進むための色ボタン７３、及び完成デザインを建材メーカのサーバ装置５２に送信する作業に進むための通信画面へボタン７４を備える。
【００３４】
図１０は、本発明の一実施例による建築材設計支援システムにおける表面柄パターン選択画面の例を示す図である。この表面柄パターン選択画面は、パターン表示ウインドウＰＤ、サンプル選択ボタン８１、スクロールバー８２、表示ボタン８４、決定ボタン８５、作業選択画面へ戻るボタン８６、及びスクロールバー８７を備える。スクロールバー８２でサンプル選択ボタン８１をスクロールしてサンプル選択ボタン８１を選択して、表示ボタン８４をクリックすると、パターン表示ウインドウＰＤに、例えば外壁板の表面柄パターンＡ１が表示される。この表示はスクロールバー８７でスクロールすることができる。目地部は例えばグレーの仮色表示をしておく。この表面柄パターンでよければ、決定ボタン８５をクリックして確定して、作業選択画面へ戻るボタン８６をクリックして、作業選択画面に戻る。
【００３５】
図１１は、本発明の一実施例による建築材設計支援システムにおけるテクスチャパターン群選択画面の例を示す図である。このテクスチャパターン群選択画面は、パターン表示ウインドウＰＤ、テクスチャパターン群選択ボタン９１、スクロールバー９２、表示ボタン９６、決定ボタン９７、作業選択画面へ戻るボタン９８、及びスクロールバー９９を備える。スクロールバー９２でテクスチャパターン群選択ボタン９１をスクロールしてテクスチャパターン群選択ボタン９１を選択して、表示ボタン９６をクリックすると、パターン表示ウインドウＰＤに、例えば表面柄パターンＡ１の凸部に所定のテクスチャパターンデータＢ１を割り当てた合成画像が表示される。この表示はスクロールバー９９でスクロールすることができる。この表面柄パターンＡ１及びテクスチャパターンＢ１でよければ、決定ボタン９７をクリックして確定して、作業選択画面へ戻るボタン９８をクリックして、作業選択画面に戻る。
【００３６】
図１２は、本発明の一実施例による建築材設計支援システムにおける色パターン選択画面の例を示す図である。この色パターン選択画面は、パターン表示ウインドウＰＤ、色パターン選択ウインドウ１０１、希望試作番号入力欄１０２、表示ボタン１０３、決定ボタン１０４、表面柄選択画面へ戻るボタン１０５、作業選択画面へ戻るボタン１０６、及びスクロールバー１０７を備える。色パターン選択ウインドウ１０１で、各色パターン及びその使用率（％）を入力し、希望試作番号を入力して、表示ボタン９６をクリックすると、パターン表示ウインドウＰＤに、例えば表面柄パターンＡ１に凸部テクスチャパターンＢ１及び色パターンＣ１を４０％、色パターンＣ３を５０％、色パターンＣ６は結果として１０％を選択した合成画像が表示される。この表面柄パターンＡ１、凸部テクスチャパターンＢ１及び目地色パターンＣ１、Ｃ３、Ｃ６でよければ、決定ボタン１０４をクリックして確定して、表面柄選択画面へ戻るボタン１０５をクリックして次のデザインに進むか、又は作業選択画面へ戻るボタン９８をクリックして、作業選択画面に戻る。
【００３７】
図１３は、本発明の一実施例による建築材設計支援システムにおける通信連絡画面の例を示す図である。この通信連絡画面は、試作サンプル画像表示ウインドウＳＤ、希望試作番号表示欄１１１、スクロールバー１１２、試作依頼ボタン１１３、発注ボタン１１４、通信連絡ボタン１１５、及び終了ボタン１１６を備える。スクロールバー１１２で希望試作番号をスクロールして希望試作番号を選択し、試作サンプル画像表示ウインドウＳＤでサンプルを確認して、試作依頼ボタン１１３をクリックして試作を依頼するか、又は発注ボタン１１４をクリックして発注する。実際には通信連絡ボタン１１５をクリックして通信を開始する、作業が終われば終了ボタン１１６をクリックしてプログラムを終了する。
【００３８】
なお、本発明は上記実施例に限定されるものではない。各凸部に連続番号を順不同に配列したものであればどのようなものであってもよく、外壁板の凸部の個数に応じて各種用意されることは言うまでもない。また、規則性を有する番号は、連続的番号であり、かつ循環的に使用される番号であることが好ましいが、開始番号から逆方向（番号が小さくなる順）など応用は可能である。
【００３９】
本発明の建築材設計支援システムは、コンピュータを本建築材設計支援システムとして機能させるためのプログラムでも実現される。このプログラムは、コンピュータで読み取り可能な記録媒体に格納されていてもよい。
【００４０】
このプログラムを記録した記録媒体は、図８に示されるクライアント装置１０のＲＯＭそのものであってもよいし、また、外部記憶装置としてＣＤ−ＲＯＭドライブ等のプログラム読取装置が設けられ、そこに記録媒体を挿入することで読み取り可能なＣＤ−ＲＯＭ等であってもよい。
【００４１】
また、上記記録媒体は、磁気テープ、カセットテープ、フレキシブルディスク、ハードディスク、ＭＯ／ＭＤ／ＤＶＤ等、又は半導体メモリであってもよい。
【図面の簡単な説明】
【００４２】
【図１】本発明の一実施例による建築材設計支援システムで設計された外壁板外観の表示例を示す図である。
【図２】本発明の一実施例による建築材設計支援システムで用いる外壁板の凸部に振る番号とその使い方を説明する図である。
【図３】本発明の一実施例による建築材設計支援システムで設計した外壁板の部分デザインを説明する図である。
【図４】本発明の一実施例による建築材設計支援システムで用いる表面柄パターンの例を示す図である。
【図５】本発明の一実施例による建築材設計支援システムで用いるテクスチャパターンの例を示す図である。
【図６】本発明の一実施例による建築材設計支援システムで用いる色パターンの例を示す図である。
【図７】本発明の一実施例による建築材設計支援システムの構成を示す図である。
【図８】本発明の一実施例による建築材設計支援システムを用いるサーバ・クライアント運用システムの構成を示す図である。
【図９】本発明の一実施例による建築材設計支援システムにおける作業メニュー選択画面の例を示す図である。
【図１０】本発明の一実施例による建築材設計支援システムにおける表面柄パターン選択画面の例を示す図である。
【図１１】本発明の一実施例による建築材設計支援システムにおけるテクスチャパターン群選択画面の例を示す図である。
【図１２】本発明の一実施例による建築材設計支援システムにおける色パターン選択画面の例を示す図である。
【図１３】本発明の一実施例による建築材設計支援システムにおける通信連絡画面の例を示す図である。
【符号の説明】
【００４３】
１０  クライアント装置
１１  データファイル作成手段
１２  データファイル管理手段
１３  表面柄パターンデータファイル
１４  テクスチャパターンデータファイル
１５  色パターンデータファイル
１６  組合せ参考パターンデータファイル
１７  キーボード
１８  マウス
１９  カラー調整手段
２０  画像合成手段
２１  システム調整手段
２２  発注管理通信手段
３０  デジタルカメラ
４０  ディスプレー
５１  受注管理システム
５２  サーバ装置
６１  製造管理システム
６２  試作管理システム
６３  試作品配送システム
７１  表面柄ボタン
７２  テクスチャパターンボタン
７３  色ボタン
７４  通信画面へボタン
８１  サンプル選択ボタン
８２  スクロールバー
８４  表示ボタン
８５  決定ボタン
８６  作業選択画面へ戻るボタン
８７  スクロールバー
９１  テクスチャパターン群選択ボタン
９２  スクロールバー
９６  表示ボタン
９７  決定ボタン
９８  作業選択画面へ戻るボタン
９９  スクロールバー
１０１  色パターン選択ウインドウ
１０２  希望試作番号入力欄
１０３  表示ボタン
１０４  決定ボタン
１０５  表面柄選択画面へ戻るボタン
１０６  作業選択画面へ戻るボタン
１０７  スクロールバー
１１１  希望試作番号表示欄
１１２  スクロールバー
１１３  試作依頼ボタン
１１４  発注ボタン
１１５  通信連絡ボタン
１１６  終了ボタン
ＣＵ  表面柄ユニット
ＰＤ  パターン表示ウインドウ
ＳＤ  試作サンプル画像表示ウインドウ
♯１〜♯９  外壁板
♯ａ1〜♯ａ54  凸部
【図１】
0004728110.tif 000002
【図２】
0004728110.tif 000003
【図３】
0004728110.tif 000004
【図４】
0004728110.tif 000005
【図５】
0004728110.tif 000006
【図６】
0004728110.tif 000007
【図７】
0004728110.tif 000008
【図８】
0004728110.tif 000009
【図９】
0004728110.tif 000010
【図１０】
0004728110.tif 000011
【図１１】
0004728110.tif 000012
【図１２】
0004728110.tif 000013
【図１３】
0004728110.tif 000014